(57)【要約】      （修正有）【課題】被対象物（軽重量物や家具等の物品・解体構造物の角材等の引抜き）に対して迅速容易に、かつ、安全確実な作業効率の向上を可能とし、コスト削減を実現できる構成とした多機能引き上げ機兼用台車と補助具を提供する。【解決手段】先端を鋭角に傾斜させた引き上げ部１と、回転軸からなるローラー２ａで構成されている台車２に、屈曲部３ａと握手部３ｂとから構成されている操作柄３とで一体化されている多機能引き上げ機兼用台車及び補助具とする。【選択図】図１
2008273742.tif 000002
【特許請求の範囲】
【請求項１】
先端を鋭角に傾斜させた引き上げ部と、回転軸からなるローラーで構成されている台車に、屈曲部と握手部とから構成されている操作柄とで一体化されていることを特徴とする多機能引き上げ機兼用台車。
【請求項２】
先端を鋭角に傾斜させた引き上げ部の後端に、請求項１の多機能引き上げ機兼用台車の引き上げ部を着脱できるように挿入可能とした角型形状部と、前記角型形状部に立設するような形状の背板を一体化されていることを特徴とする補助具。
【発明の詳細な説明】
【技術分野】
【０００１】  本発明は、被対象物（解体構造物の角材等の引抜き・軽重量物や家具等の物品）の引き上げ・移動・運搬に使用する工具に関するものである。
【背景技術】
【０００２】  従来、被対象物（解体構造物の角材等の引抜き）に対する手段としては、工具類（バール等）によって引き上げたり引抜いたりしていた、しかし、現場での木材等の引抜き作業は、床面等の足場の状態が悪く怪我等の危険性があり熟練と大変な労力を必要としていた。一方の被対象物（軽重量物や家具等の物品）に対する手段としては、工具類（バール等）でこじ開けて枕木やロープ類で引き上げるなどして、複数の工具類を使用するために熟練と大変な労力を必要としていた。
【特許文献１】  特願２００１−５５８８９  公報
【特許文献２】  特願平８−２８０４３９  公報
【発明の開示】
【発明が解決しようとする課題】
【０００３】  本発明は、上記被対象物に対して迅速容易に、かつ、安全確実な作業効率の向上を可能とし、コスト削減を実現できる構成とした多機能引き上げ機兼用台車と補助具を提供することにある。
【課題を解決するための手段】
【０００４】  請求項１に記載の発明は、先端を鋭角に傾斜させた引き上げ部と、回転軸からなるローラーで構成されている台車に、屈曲部と握手部とから構成されている操作柄とで一体化されていることを特徴とする多機能引き上げ機兼用台車である。具体的には、被対象物（解体構造物の角材等の引抜き）の下端に、先端を鋭角に傾斜させた引き上げ部を差込み、台車と一体化された操作柄からなる握手部を押し下げることで、上記被対象物が引き上げられる。主な一例としては、凹凸状の構造材に釘類で取付けられた上記被対象物の角材（垂木等）下端に、先端を鋭角に傾斜させた引き上げ部を差込み、台車と一体化された操作柄からなる握手部を押し下げることで、図３に示すように上記被対象物の角材（根太・垂木等）と、これに打込んである釘類双方ともに構造体より引き上げ分離することができる。
なお、「凹凸状の構造材」について説明する。上記記載の凹凸形状とは、例えば角材の場合、床組みの上記被対象物（根太等）を支える大引き等のことである。また、小屋組みの上記被対象物（垂木等）を支える母屋等を意味する。従って、このような上記被対象物の角材（根太・垂木等）を引き上げ引抜く場合に、上記角材（大引き・母屋等）の幅は限定されている（１０，５センチ前後である）よって、両端部に複数の車輪類で構成する台車の形状では、上記角材（大引き・母屋等）を移動するには、操作するに当たって落下等の危険性があり困難な作業となる。
ゆえに、本発明は、上記車輪部をローラー形状で構成することで、上記凹凸状の構造材に釘類で取付けられた上記被対象物のの位置まで、多機能引き上げ機兼用台車を持ち上げず、押すだけなので、持ち上げて運ぶ労力を必要としない。また、ローラー部分の両端にローラー部分の直径より一回り大きい車輌部を設けてもよい。それによる効果としては、上記角材（根太・垂木等）の幅にローラー部分で対応して両端の車輌部により脱輪を防止することができる。
従って、容易に移動でき作業効率の向上となる。
一方、被対象物（軽重量物や家具等の物品）の下端に、先端を鋭角に傾斜させた引き上げ部を差込み、台車と一体化された操作柄からなる握手部を押し下げることで、図４に示すように上記被対象物が引き上げられた状態となり、前後に牽引することができるので移動・運搬が容易にできる。
なお、床面等が平滑で安定している状態であれば、回転軸からなるローラー部分を、複数の車輌部からなるキャスター等で構成しても構わない。【０００５】請求項２に記載の発明は、先端を鋭角に傾斜させた引き上げ部の後端に、請求項１の多機能引き上げ機兼用台車の引き上げ部を着脱できるように挿入可能とした角型形状部と、前記角型形状部に立設するような形状の背板を一体化されていることを特徴とする補助具。具体的には、先端を鋭角に傾斜させた引き上げ部の後端の角型形状部に、請求項１の多機能引き上げ機兼用台車の引き上げ部を挿入し、その後、被対象物（解体構造物の角材等の引抜き・軽重量物や家具等の物品）の下端に差込み、台車と一体化された操作柄からなる握手部を押し下げることで、図５に示すように上記被対象物が引き上げられた状態となり、前後に牽引することができるので移動・運搬が容易にできる。
【発明の効果】
【０００６】  請求項１に記載の発明は、被対象物（解体構造物の角材等の引抜き）を引き上げ・移動・運搬をする際に、回転軸からなるローラーで構成されている台車なので、上記被対象物の角材等を引抜きの際、複雑な障害物（節・反り・釘頭等）や上記凹凸状のある構造体の表面に抵触しても、回転軸からなるローラーで構成されている台車を採用したことで容易に乗り越えられ移動でき、作業効率を向上させることができる。一方の被対象物（軽重量物や家具等の物品）は、引き上げ・移動・運搬をする際に、回転軸からなるローラーで構成されている台車なので、床面等に対する損傷に配慮する心配もなく、ジャッキ類を利用することもない。従って、引き上げ・移動・運搬を同時にできることで、コスト的負担も少なく作業効率を遥かに向上させることができる。【０００７】  請求項２に記載の発明は、請求項１の多機能引き上げ機兼用台車に補助具４を着脱自在に取付けられることで屋内・屋外における、高さ・幅・奥行きのある被対象物（解体構造物の角材等の引抜き・軽重量物や家具等の物品）等を安全確実に引き上げ・移動・運搬することができる。また、梃子の原理により引き上げるので、あらゆる場所に枕木等を必要としないで、隙間を確保することができる。さらに、家具等の物品・工具・資材箱の下端を、損傷することなく作業効率を向上させることができる。【０００８】  本発明は、上記記載のような構成からなり軽量でコンパクトなので、大きな力を必要としないで容易に複数の作業ができる。従って、片方の手で被対象物（解体構造物の角材等の引抜き・軽重量物や家具等の物品）の下端に、枕木や台車等を差込むことで、一人でも家具等・物品・コンクリート側溝蓋等の引き上げ・移動・運搬作業も容易に行える。なお、構造が簡素化されているので特に狭く複雑な場所に小回りがきき、かつ、収納・持ち運びに対しても利便性を備えている。【０００９】  また、防災対策用として、従来のロングバールの支点となる下面の幅が違い、幅広くしているので左右にバランス等を崩しても、横転などの危険性を防止でき、かつ、構造及び取り扱い方法が簡単なので、熟練工でなく女性でも容易に使用できるので、地震等の災害による建物等の瓦礫類の隙間の確保や除去・車輌等の事故現場での救出作業等の緊急時に対して効果を有する。
【発明を実施するための最良の形態】
【００１０】（実施形態１）  以下、実施例を図面を参照して説明する。
図１は、請求項１記載の斜視図である。図中１は、先端を鋭角に傾斜１ａさせた引き上げ部であり、２は、回転軸からなるローラー２ａである台車であり、３は、屈曲部３ａと握手部３ｂからなる操作柄である。引き上げ部１と台車２と操作柄３は、一体的に連結された多機能引き上げ機兼用台車Ａである。また、屈曲部３ａと握手部３ｂは操作柄３に一体的に連結され形成されている。
次に、図３で多機能引き上げ機兼用台車Ａを使用する作業工程を説明する。
まず、被対象物５（解体構造物の角材等の引抜き）の下端や隙間に、構造体７を跨ぐように多機能引き上げ機兼用台車Ａの引き上げ部１を差込み握手部３ｂで操作柄３を押し下げることで、被対象物５の下端が釘類ごと引抜かれ構造体７から分離される。以上の操作を繰返すことで被対象物５を容易に撤去することができる。
また、図４に示すように被対象物６（軽重量物や家具等の物品）の下端や隙間に、多機能引き上げ機兼用台車Ａの引き上げ部１を差込み握手部３ｂで操作柄３を押し下げることで下端に空間が生ずる、その空間部に枕木や台車等を差込む。以上の操作を繰返すことで台車等に被対象物６を設置することで移動・運搬することができる。【００１１】（実施形態２）  以下、実施例を図面を参照して説明する。
図２は、請求項２記載の斜視図である。図中Ｂは、先端を鋭角に傾斜１ａさせた引き上げ部１の後端に、請求項１の多機能引き上げ機兼用台車Ａの引き上げ部１を着脱できるように挿入可能とした角型形状部４と、前記角型形状部４に立設するような形状の背板４ａを一体化されている補助具Ｂで形成されている。
次に、図５で、多機能引き上げ機兼用台車Ａを使用する補助具Ｂの作業工程を説明する。
まず、多機能引き上げ機兼用台車Ａに補助具Ｂを挿入後、前記台車Ａと補助具Ｂが一体となった状態で、被対象物５（解体構造物の角材等の引抜き）の下端や隙間に、構造体７を跨ぐように多機能引き上げ機兼用台車Ａの引き上げ部１を差込み握手部３ｂで操作柄３を押し下げることで、被対象物５の下端が釘類ごと引抜かれ構造体７から分離される。以上の操作を繰返すことで被対象物５を容易に撤去することができる。
また、図には示さなかったが、被対象物６（軽重量物や家具等の物品）の下端や隙間に多機能引き上げ機兼用台車Ａの引き上げ部１を差込み、握手部３ｂで操作柄３を押し下げることで下端に空間が生ずる。その空間部に枕木等を差込んだ後、多機能引き上げ機兼用台車Ａに補助具Ｂを挿入後、前記台車Ａと補助具Ｂが一体となった状態で対象物６の下端に差込み、握手部３ｂで操作柄３を押し下げた状態で牽引することで、被対象物６を移動・運搬することができる。【００１２】（実施形態３）  以下、実施例を図面を参照して説明する。
図６は、補助具Ｃの一例の使用側面図である。図中Ｃは、先端を鋭角に傾斜１ａさせた引き上げ部１の後端に、請求項１の多機能引き上げ機兼用台車Ａの引き上げ部１で着脱できるように挿入可能とした角型形状部４と、前記角型形状部４に立設するような形状の背板４ａと、上記引き上げ部１の下端に車輪部からなるキャスター４ｂを取付け一体化されている。従って、請求項１に着脱できるように構成した多機能引き上げ機兼用台車Ａの補助具Ｃである。
次に、多機能引き上げ機兼用台車Ａを使用する補助具Ｃの作業工程を説明する。
まず、被対象物６（軽重量物や家具等の物品）の下端や隙間に多機能引き上げ機兼用台車Ａの引き上げ部１を、補助具Ｂに差込み握手部３ｂで操作柄３を押し下げることで下端に空間が生ずる、その空間部に枕木等を差込んだ後、多機能引き上げ機兼用台車Ａに補助具Ｂから補助具Ｃに取り替え、再度、多機能引き上げ機兼用台車Ａを差込む。その後、握手部３ｂで操作柄３を押し下げた状態で枕木等を除去する。次に、操作柄３を最初の位置に戻した状態で多機能引き上げ機兼用台車Ａと補助具Ｃをロープ等で双方を係止した後、牽引することで被対象物６を移動・運搬することができる。【００１３】  図には示さなかったが、操作柄３を任意の位置で着脱できるような延設部分を構成できるようにしてもよい。さらに、使用しやすいように、操作柄３の延設部分を複数の角度・長さに調整できるような、回転軸と固定装置を設けるように構成してもよい。また、被対象物５・６（解体構造物の角材等の引抜き・軽重量物や家具等の物品）の下端と床面等の空間が高い場合に、多機能引き上げ機兼用台車Ａが機能しない場合がある。その際に、多機能引き上げ機兼用台車Ａの下端に、その空間に相当する枕木等を設置して補助具Ｂ・Ｃを差込み上記記載同様の作業工程で使用する。また、幅等の距離が長くバランスの取れない被対象物５・６であれば、多機能引き上げ機兼用台車Ａと補助具Ｂ・Ｃを複数使用するとよい。
なお、請求項１・２記載に関する実施例・形状・寸法・材質に対しては、特別限定するものではない。
【図面の簡単な説明】
【００１４】
【図１】  請求項１記載の多機能引き上げ機兼用台車Ａの斜視図である。
【図２】  請求項２記載の多機能引き上げ機兼用台車Ａの補助具Ｂの斜視図である。
【図３】  請求項１記載の多機能引き上げ機兼用台車Ａの一例の使用側面図である。
【図４】  請求項１記載の多機能引き上げ機兼用台車Ａの一例の使用側面図である。
【図５】  請求項２記載の多機能引き上げ機兼用台車Ａの補助具Ｂの一例の使用側面図である。
【図６】  請求項２記載の多機能引き上げ機兼用台車Ａの補助具Ｃの一例の使用側面図である。
【符号の説明】
【００１５】  Ａ    多機能引き上げ機兼用台車
Ｂ、Ｃ  補助具
１    引き上げ部
１ａ  先端を鋭角に傾斜
２    台車
２ａ  回転軸からなるローラー
３    操作柄
３ａ  屈曲部
３ｂ  握手部
４    角型形状部
４ａ  背板
４ｂ  キャスター
５、６  被対象物
７    構造体
【図１】
2008273742.tif 000003
【図２】
2008273742.tif 000004
【図３】
2008273742.tif 000005
【図４】
2008273742.tif 000006
【図５】
2008273742.tif 000007
【図６】
2008273742.tif 000008